(57)【特許請求の範囲】
【請求項１】
導入路および導出路に挿脱されることにより流体圧力を調整する芯線と、前記芯線を固着する保持部材と、前進により前記保持部材に接してこれを押圧前進させるスぺーサと、前記スぺーサの後退に伴って前記保持部材を係止してこれを後退させる連係部材と、前記スぺーサを螺合する送りネジとを有することを特徴とする圧力調整装置。
【請求項２】
前記保持部材は、芯線取り付け用貫通孔と、送りネジ取り付け穴とを有してなる前記請求項１に記載の圧力調整装置。
【発明の詳細な説明】
【０００１】
【発明の属する技術分野】
この発明は、たとえば発電所、ボイラープラント等に使用される水質調整用のサンプリング装置等に使用されることができ、特にこの種の装置における高圧試料水の圧力を調整する圧力調整装置に関し、さらに詳しくは芯線の破損を防止することのできる、故障の少ない圧力調整装置に関する。
【０００２】
【従来の技術】
一般に、ボイラープラントにはボイラー用水に起因する障害を防止するため、ボイラー用水を採取してその水質を測定し、これを監視するサンプリング装置が付設されていることは公知である。しかるに、サンプリング装置においては、先ず高圧のボイラ用水（試料水）を、ボイラ圧力の変動に拘りなく一定量かつ一定圧力で供給することが肝要である。このため、このサンプリング装置においては、通常いわゆる高圧試料水の圧力を調整する圧力調整装置が設けられている。そのような従来の圧力調整装置の構成は、たとえば図２に示す通りである。
【０００３】
前記圧力調整装置１００は、図２に示されるように、流体の導入路である導入管１０１と、流体の導出路である導出管１０３と、前記導入管１０１および導出管１０３に結合されたシリンダー１０８とを有する。前記シリンダー１０８は芯線１０５と、送りネジ１０６と、保持部材１０７たとえばナットと、シリンダー１０８とを有する。前記送りネジ１０６およびこの送りネジ１０６に螺合する保持部材１０７は、前記シリンダー１０８に内蔵される。前記芯線１０５は、その一端部が前記保持部材１０７に固定され、かつその他端部分が前記導入管１０１および導出管１０３に挿入されている。前記送りネジ１０６は、シリンダー１０８の外部でその一端に、回転ギヤまたはハンドル１０９が結合されている。前記回転ギヤは、図示しないモータの回転軸に、また前記ハンドル１０９は手動で回転可能に結合されている。前記回転ギヤまたはハンドル１０９が回転することにより、送りネジ１０６が回転して、保持部材１０７が軸線方向に前進または後退する。前記の保持部材１０７の移動に伴って、芯線１０５が前記導入管および導出管を前進または後退する。
【０００４】
このように構成された圧力調整装置によれば、ボイラープラント等から採取された高圧の試料水は、導入口１０２から導入管１０１、シリンダー１０８の内部および導出管１０３を経て、導出口１０４へ流動される間に、保持部材１０７が送りネジ１０６の回転によって軸線方向に移動し、芯線１０５も導入管１０１および導出管１０３内を軸線方向に移動する。換言すると、送りネジ１０６の回転方向に応じて芯線１０５が前進し、または後進する。これによって、その試料水の圧力は所定値に減圧調整することができる。したがって、導出口１０４から図示しない計測機器へ供給される減圧試料水は、常に一定量かつ一定圧力に調整されることができる。
【０００５】
しかし、従来の圧力調整装置には下記のような欠点があった。
【０００６】
送りネジのネジ山に試料水中の酸化鉄やゴミ等が付着し、これによって保持部材が固結してしまい、送りネジの回転と共に保持部材が回転することにより芯線が捻じれてしまうこと、送りネジが回転すると、この回転に伴って保持部材も回転することがあり、このときに芯線が捻じれる、傷つく等の不都合があったこと、である。
【０００７】
したがって、装置の性能向上を図るために、前記欠点を解消することが望まれていた。
【０００８】
【発明が解決しようとする課題】
この発明の目的は、芯線の捻じれを防止することのできる、故障の少ない、圧力調整装置を提供することにある。
【０００９】
【課題を解決するための手段】
前記課題を解決するための請求項１に記載の発明は、導入路および導出路に挿脱されることにより流体圧力を調整する芯線と、前記芯線を固着する保持部材と、前進により前記保持部材に接してこれを押圧前進させるスぺーサと、前記スぺーサの後退に伴って前記保持部材を係止してこれを後退させる連係部材と、前記スぺーサを螺合する送りネジとを有することを特徴とする圧力調整装置であり、
請求項２に記載の発明は、前記保持部材が、芯線取り付け用貫通孔と、送りネジ取り付け穴とを有してなる前記請求項１に記載の圧力調整装置である。
【００１０】
【発明の実施の形態】
この発明の好適な圧力調整装置は、導入路と、導出路と、芯線、保持部材、スぺーサおよび連係部材を内蔵する筐体と、筐体内に収容された送りネジとを有する。
【００１１】
好適な導入路は、流体をこの導入路へと供給する外部の流体供給部から前記筐体内に導入することができるように形成されてなる。好適な導入路は、流体を外部の流体供給部から前記筐体内に導入することができ、かつ前記芯線を挿入可能に形成されてなる管すなわち導入管または孔すなわち導入孔である。より好適な導入路は、流体を外部の流体供給部から前記筐体内に導入することができ、かつ前記芯線の一端部分が挿入可能な円筒形の管すなわち円形導入管または孔すなわち円形導入孔である。
【００１２】
前記導出路は、流体を前記筐体内から外部に導出することができるように形成されてなる。好適な導出路は、流体を前記筐体内から外部に導出することができ、かつ前記芯線を挿入可能に形成されてなる管すなわち導出管または孔すなわち導出孔である。より好適な導出路は、流体を前記筐体内から外部に導出することができ、かつ前記芯線の一端部分が挿入可能な円筒形の管すなわち円形導入管または孔すなわち円形導入孔である。
【００１３】
前記導入路と導出路とは、互いに並行に配置され、それぞれ前記筐体に結合されるのが好ましい。
【００１４】
前記導入路に導入される流体としては、気体、液体、粉体、懸濁液、乳濁液、スラリー等が挙げられる。これらの中でも好適な流体は、液体である。
【００１５】
前記筐体は、芯線、保持部材、スぺーサ、連係部材および送りネジの一部を内蔵することのできる構造を有する。
【００１６】
好適な筐体は、芯線、保持部材、スぺーサおよび連係部材を内蔵し、かつ前記送りネジを挿通し、送りネジの一部を内蔵し、かつ送りネジの一部を外部に突出するように形成される。
【００１７】
好適な筐体は、芯線、保持部材、スぺーサおよび連係部材を内蔵することができ、前記送りネジを挿通させることのできる挿通孔を有し、かつ前記導入路および導出路を結合してなるシリンダーである。
【００１８】
前記芯線は、前記導入路に挿入される第１芯線および前記導出路に挿入される第２芯線よりなる。好適な芯線は、前記導入路に挿入された第１芯線と導入路に並行な導出路に挿入された第２芯線とを有し、かつ後述する保持部材に固着され、保持部材の動きと応動して前後進可能に形成される。
【００１９】
前記保持部材は、前記芯線を固定することができ、後述するスぺーサの前進によって前進し、またスぺーサの後進に応じて後進可能に形成されてなる。通常、このような保持部材は、芯線取り付け用貫通孔と、送りネジ取り付け穴とを有する。
【００２０】
前記芯線取り付け用貫通孔は、前記芯線を取り付け、かつ前記芯線を固定できるように形成される。
【００２１】
好適な送りネジ取り付け穴は、送りネジを挿通できるように形成される。
【００２２】
前記スぺーサは前記送りネジに螺合され、前記送りネジの回転によりスぺーサ自身が前進することに伴って前記保持部材を押圧し、これを前進させることができるように形成される。好適なスぺーサは、前記送りネジの外周に形成された雄螺子に螺合され、前記保持部材と接触し、かつ前記送りネジの回転によりスぺーサ自身が前進することに伴って前記保持部材を押動することができるように形成される。より好適なスぺーサはその先端面で前記保持部材と離接可能に接触し、送りネジの雄螺子と歯合する雌螺子を内周面に有する貫通孔を有し、かつ前記保持部材を押動ないし押圧してこれを前進させることのできるように形成される。より一層好適なスぺーサは、その先端面で前記保持部材の先端面と接触し、前記連係部材と係合する係合部と送りネジに歯合する貫通孔とを有し、かつ前記保持部材を前進可能に、連係部材を介して前記保持部材を後進可能に形成される。
【００２３】
前記連係部材は、前記スぺーサの後退に伴って前記保持部材を後退させることができるように形成されてなる。
【００２４】
好適な連係部材は、前記保持部材の内側に配置され、この保持部材を係止する第１係止部と前記スぺーサにおける係合部に係止する第２係止部とを有し、かつ前記スぺーサの後退に伴って前記保持部材を後退させることができるように、またスぺーサの前進により前記保持部材が前進可能に形成される。
【００２５】
前記送りネジは、前記スぺーサを螺合することができるように形成されてなる。好適な送りネジは、前記スぺーサを螺合することができるように歯合部が設けられた円柱型ネジである。
【００２６】
より好適な圧力調整装置は、前記筐体と前記導入路および導出路とが先端部で結合されている。前記筐体には、その中心軸と共通する中心軸を持つ送りネジが挿通されている。前記送りネジは前記筐体の後端部より延在しており、それ自身が回転するようになっている。前記筐体は、芯線、保持部材、スぺーサおよび連係部材を内蔵している。前記スぺーサは前記送りネジと歯合しており、この送りネジの回転により、前進または後進できるようになっている。前記保持部材は前記芯線を固着させ、かつ前記スぺーサと接触しているのでこのスぺーサの前進に伴って前進するようになっている。
【００２７】
前記連係部材は、前記スペーサが後進するときに前記第２係止部で係止されながらそれ自身も後進し、さらに前記保持部材と前記第１係止部で係止されているので前記保持部材を後進させる。
【００２８】
前記芯線は各々の一端が前記導入路および導出路に挿入できるように配置されている。
【００２９】
この発明の圧力調整装置は以下のように作用する。
【００３０】
通常、前記圧力調整装置の外部に設置された流体供給部から供給された流体が導入路を通過して筐体内に導入される。導入された流体は、導出路を通過して外部に流出される。
【００３１】
導入路に導入された流体は導入路内に挿入された芯線が前進および後進することによって、このように、導入路に導入された流体の圧力が調整される。前記芯線は、送りネジの右回転により前進するスぺーサが保持部材を押すので前進する。また、送りネジの左回転によって、スぺーサが、連係部材を第２係止部で係合しつつ後退するので、連係部材も前記保持部材の第１係止部に係合しつつ後退し、保持部材の後退によって前記芯線が後退する。
【００３２】
【実施例】
以下、この発明の一実施例について図１を参照しながら説明する。
【００３３】
以下においては、水等の液体を例にしてこの発明の一実施例である圧力調整装置について説明する。
【００３４】
この発明の圧力調整装置１は導入管（図２に示すのと同様の導入管１０１である。図１には示されていない。）および導出管（図２に示すのと同様の導出管１０３である。図１には示されていない。）、筐体に相当するシリンダー（図２におけるシリンダー１０８と同様である。図１には示されていない。）、回転ギヤ（図２における回転ギヤ１０９と同様である。図１には示されていない。）と、モータまたはハンドル（図２におけるハンドル１０９と同様である。図１には示されていない。）を有する。
【００３５】
前記導入管は、この発明の圧力調整装置１の外部に設置された液体供給装置（図示せず）から供給される液体をシリンダー内部に導入することのできる細管であり、その一端を前記液体供給部でもある液体供給装置に、かつ他端を前記シリンダーに結合するように配置される。
【００３６】
前記導出管は前記シリンダーに導入された液体を外部の所定の場所に導出する細管であり、その一端を前記所定の場所に、かつ他端を前記シリンダーに結合するように配置される。
【００３７】
前記シリンダー内には、芯線２と、前記保持部材３と、スぺーサ４と、連係部材５と、送りネジ６とがある。
【００３８】
前記芯線２は、前記導入管に挿入される第１芯線２ａと、前記導出管に挿入される第２芯線２ｂとを有する。前記第１芯線２ａは、前記導入管内を前進または後進できる軸体であり、前記軸体の一端部は前記導入管内に挿入され、その他端部は前記シリンダーに内蔵される。前記第２芯線２ｂは、前記導出管内を前進または後進できる軸体であり、前記軸体の一端部は前記導出管内に挿入され、その他端部は前記シリンダーに内蔵される。
【００３９】
この第１芯線２ａの外径は導入管の導入管の内径よりも小さく設計されていて、導入管中に挿入された第１芯線２ａの外周と導入管の内周との間隙を流体が流通するようになっている。第２芯線２ｂも第１芯線２ａと同様に形成されていて導出管に挿入された第２芯線２ｂの外周と導出管の内周との間隙を流体が流通するようになっている。
【００４０】
前記保持部材３は、芯線取り付け用貫通孔３ａと、送りネジ取り付け穴３ｂとを有する円柱体である。前記芯線取り付け用貫通孔３ａは、前記芯線２を固着する貫通孔である。前記送りネジ取り付け穴３ｂは、前記送りネジ６を貫通する。前記送りネジ取り付け穴３ｂは、その中心軸が前記円柱体の中心軸と一致するように配置される。前記芯線取り付け用貫通孔３ａは、前記第１芯線２ａを固着する第１貫通孔３ｃと、前記第２芯線２ｂを固着する第２貫通孔３ｄとを有する。前記第１貫通孔３ｃおよび第２貫通孔３ｄは互いに平行に、かつ前記送りネジ取り付け穴３ｂが前記第１貫通孔３ｃおよび第２貫通孔３ｄの間にあるように配置される。
【００４１】
前記スぺーサ４は前記送りネジ６と歯合した円柱体のナットであり、送りネジ６の雄螺子と螺合する雌螺子を有する送りネジ挿通穴６ａを有する。前記スぺーサ４の前進する方向にある内壁面側の一端部には、前記連係部材５の一部分が挿入される環状の凹陥部７が設けられている。この環状の凹陥部７の形成によって、このスぺーサ４の前進方向の先端部分には前記連係部材５を係止することのできる第１係止端５ａが設けられている。前記スぺーサ４は、前進する方向の先端面において前記芯線２および前記保持部材３と接触している。前記スぺーサ４は、前記送りネジ６が右回転すると前進し、左回転すると後退することができる。
【００４２】
前記連係部材５は前記送りネジ６を囲繞し、前記送りネジ６が挿通する貫通穴を有する円筒体である。前記連係部材５は、その両端部に、前記スぺーサ４の第１係止端５ａに係止する第２係止端５ｂと前記保持部材３を係止する第３係止端５ｃとを有する。第２係止端５ｂは、円筒状の連係部材５の後端部に、鍔状に広がって形成され、第３係止端５ｃは、円筒状の連係部材５の先端部に鍔状に広がって形成される。前記連係部材５は、前記スぺーサ４が後退すると、前記第１係止端５ａと前記第２係止端５ｂとが互いに係着し、かつ前記第３係止端５ｃが前記保持部材３に係着するので、前記スぺーサ４の後退に伴って前記芯線２および前記保持部材３を後退させる。
【００４３】
前記送りネジ６は、前記スぺーサ４を螺合することができる図示しない歯合部がその周側面上に設けられた円柱型ネジである。前記送りネジ６はその先端部分が前記スぺーサ４のネジ挿通穴および前記送りネジ取り付け穴３ｂに挿入され、後端部分が前記筐体の外部に突出している。前記後端部分には図示しない回転ギヤまたはハンドルが結合されている。自動駆動の場合、前記回転ギヤは、前記筐体の外部に設置されたモータと結合され、前記モーターの回転により、回転ギヤが回転すると、前記送りネジ６が回転するようになっている。また手動駆動の場合、前記ハンドルを回転させると、前記送りネジが回転するようになっている。
【００４４】
前記第２係止端５ｂはこの発明における第１係止部を構成し、前記第２係止端５ｃがこの発明における第２係止部を構成する。
【００４５】
次にこの発明の圧力調整装置１の作用を説明する。
【００４６】
前記圧力調整装置１の外部に設置された流体供給部から供給された液体が導入管に導入される。前記筐体の外部からの力により送りネジ６が右回転すると、スぺーサ４が前進し、左回転すると、スぺーサ４が後進する。
【００４７】
スぺーサ４が前進すると、前記スぺーサ４が芯線２および前記保持部材３との接触面を押しながら、これらを前進させる。これにより、芯線２が導入管および導出管内を前進する。スぺーサ４が後退すると、第１係止端５ａと第２係止端５ｂとが係着し、かつ第３係止端５ｃと前記保持部材３とが係着して、スぺーサ４の後退に伴って前記芯線２および前記保持部材３が後退する。これにより、芯線２が導入管および導出管内を後進する。
【００４８】
前記液体は前記導入管を通過するときに前記芯線２の作用によってその圧力が調整される。液体が導入管を通過すると筐体内に導入される。導入された液体は、筐体内を通過して前記導出管に導出される。前記の液体は前記導出管を通過するときに前記芯線２の作用によってその圧力が調整される。前記の液体が前記導出管を通過して外部の所定の場所に送出される。
【００４９】
これにより、液体等の流体の圧力を調整することができる。
【００５０】
【発明の効果】
この発明によると、芯線の捻じれを防止することのできる故障の少ない小型の圧力調整装置を提供することができる。
【図面の簡単な説明】
【図１】図１は、この発明の圧力調整装置を示す断面図である。
【図２】図２は、従来の圧力調整装置を示す断面図である。
【符号の説明】
１・・・圧力調整装置、２・・・芯線、２ａ・・・第１芯線、
２ｂ・・・第２芯線、３・・・保持部材、
３ａ・・・芯線取り付け用貫通孔、３ｂ・・・送りネジ取り付け穴、
３ｃ・・・第１貫通孔、３ｄ・・・第２貫通孔、４・・・スぺーサ、
５・・・連係部材、５ａ・・・第１係止端、５ｂ・・・第２係止端、
５ｃ・・・第３係止端、６・・・送りネジ、６ａ・・・送りネジ挿通穴、
７・・・凹陥部、
１００・・・圧力調整装置、１０１・・・導入管、１０２・・・試料導入口、
１０３・・・導出管、１０４・・・導出口、１０５・・・芯線、
１０６・・・送りネジ、１０７・・・保持部材、１０８・・・シリンダー、
１０９・・・回転ギヤまたはハンドル。
【図１】
0003763874.tif 000002
【図２】
0003763874.tif 000003